(57)【要約】【課題】測定光による検査対象物の損傷等を抑制しながら高い精度で異状検査を行う。【解決手段】異状検査装置１では、ベルトコンベア２が動くことにより、製造ラインに沿った載置面２ｂ上に載置された検査対象物３が製造ラインに沿って輸送される。検査対象物３が進行方向２ａに進むと同時に、検出ユニット２０の視野領域Ｌ１上に載置された検査対象物３に対してＳＣ（スーパーコンティニューム）光源１１から出射された近赤外光Ｌ１を照射部１２から照射し、検査対象物３からの拡散反射光Ｌ２を分光器２２で分光し受光部２３において検出し、分析部３０において分析を行うことにより、検査対象物３の異状検査が行われる。【選択図】図１
2010276361.tif 000002
【特許請求の範囲】
【請求項１】
製造ラインに沿った載置面上に載置され当該製造ラインに沿って輸送される検査対象物の検査を行う異状検査装置であって、
近赤外光を出力するスーパーコンティニューム光源と、
前記製造ライン上を移動する前記検査対象物の移動方向に対して略垂直に延在するライン状の照射領域に対して前記スーパーコンティニューム光源から出力された近赤外光を照射する照射手段と、
前記照射手段から出力された近赤外光のうち前記検査対象物により拡散反射した拡散反射光を、前記照射領域の延在方向に対して垂直な方向に分光する分光器と、
複数の受光素子が受光面上に２次元配列され、前記分光器によって分光された光を受光する受光器と、
前記受光器によって受光された光に基づいて前記検査対象物の異状の有無を分析する分析部と、
を備えることを特徴とする異状検査装置。
【請求項２】
前記照射領域の延在方向に垂直な方向における前記照射領域の幅は１０ｍｍ以下である
ことを特徴とする請求項１記載の異状検査装置。
【請求項３】
前記スーパーコンティニューム光源は波長１０００ｎｍ〜２５００ｎｍの範囲の光を出力する
ことを特徴とする請求項１又は２記載の異状検査装置。
【発明の詳細な説明】
【技術分野】
【０００１】
本発明は、食品等の検査対象物に近赤外光を照射して得られる拡散反射光を測定し、その結果に基づいて検査対象物の検査を行う異状検査装置に関する。
【背景技術】
【０００２】
食品、医薬品等の製造工程における異物や異状の検査は品質管理上重要なものとなっている。このため、異物や異状を検出する方法が種々検討されている。
【０００３】
例えば、特許文献１では、搬送コンベアに載置された検査対象物に対して遮光室内で光を照射し、検査対象物の大きさや糖度等の測定を行う方法が示されている。また、特許文献２では、可視光や近赤外光を検査対象物に照射し、その反射光のスペクトルを測定することにより異物を検出する方法が示されている。また、特許文献３では、線状の光源により検査対象物に対して光を照射することにより検査対象物のスペクトルを測定することにより検査対象物の品質検査を行う方法が示されている。
【先行技術文献】
【特許文献】
【０００４】
【特許文献１】特開２００１−５６２９８号公報
【特許文献２】特開２００４−３０１６９０号公報
【特許文献３】特開２００６−１７０６６９号公報
【発明の概要】
【発明が解決しようとする課題】
【０００５】
一般的に、食品や医薬品等は品質に対する消費者の目が厳しい商品であるため、品質検査を特に精度よく行う必要がある。しかしながら、これらの検査対象物は光によるダメージを特に受けやすい。したがって、検査対象物に対する光の照射量をできるだけ減少させることが望まれる。
【０００６】
本発明は上記を鑑みてなされたものであり、測定光による検査対象物の損傷等を抑制しながら高い精度で検査対象物の異状検査を行うことができる異状検査装置を提供することを目的とする。
【課題を解決するための手段】
【０００７】
上記目的を達成するため、本発明に係る異状検査装置は、製造ラインに沿った載置面上に載置され当該製造ラインに沿って輸送される検査対象物の検査を行う異状検査装置であって、近赤外光を出力するスーパーコンティニューム光源と、製造ライン上を移動する検査対象物の移動方向に対して略垂直に延在するライン状の照射領域に対してスーパーコンティニューム光源から出力された近赤外光を照射する照射手段と、照射手段から出力された近赤外光のうち検査対象物により拡散反射した拡散反射光を、照射領域の延在方向に対して垂直な方向に分光する分光器と、複数の受光素子が受光面上に２次元配列され、分光器によって分光された光を受光する受光器と、受光器によって受光された光に基づいて検査対象物の異状の有無を分析する分析部と、を備えることを特徴とする。
【０００８】
上記の異状検査装置では、スーパーコンティニューム光源から出射される近赤外光を照射手段によってライン状の照射領域に対して照射する。そして、検査対象物による拡散反射光を分光器によって分光した後、２次元配列された受光素子により受光して分析を行う。このように、上記の異状検査装置では、検査対象物の測定のための近赤外光を出射する光源としてスーパーコンティニューム光源を用いることにより、検査対象物の検査に適切な波長帯域の光が検査対象物に対して照射される。したがって、検査対象物に対する検査に不要な光の照射を低減することができるため、測定光による検査対象物の損傷を抑制した状態で検査対象物の検査を精度よく行うことができる。
【０００９】
ここで、照射領域の延在方向に垂直な方向における照射領域の幅は１０ｍｍ以下である態様であることが好ましい。このように照射領域の延在方向に垂直な方向における照射領域の幅を１０ｍｍ以下とすることにより、ライン状の照射領域に対して集中して光が照射されるため、スーパーコンティニューム光源から出力する近赤外光の光量を低減させることができ、検査対象物における測定光による損傷をさらに低減させることができる。
【００１０】
また、スーパーコンティニューム光源は波長１０００ｎｍ〜２５００ｎｍの範囲の光を出力する態様とすることができる。
【発明の効果】
【００１１】
本発明によれば、測定光による検査対象物の損傷等を抑制しながら高い精度で検査対象物の異状検査を行うことができる異状検査装置が提供される。
【図面の簡単な説明】
【００１２】
【図１】本実施形態に係る異状検査装置の構成を説明する図である。
【図２】異状検査装置における近赤外光の照射領域を説明する図である。
【発明を実施するための形態】
【００１３】
以下、添付図面を参照して、本発明を実施するための形態を詳細に説明する。なお、図面の説明においては同一要素には同一符号を付し、重複する説明を省略する。
【００１４】
本発明に係る異状検査装置１について図１、図２を用いて説明する。本実施形態に係る異状検査装置１は、ベルトコンベア２上に分散載置された検査対象物３（図１では検査対象物の載置位置を示す）に混入した異物や検査対象物３の変質等の異状の有無を検査する装置である。本実施形態に係る異状検査装置１の検査対象物３としては、食品や医薬品等の原材料や製品等が挙げられる。そしてこれらの検査対象物３に付着する異物としては、毛髪等の生体由来物や、製造装置等に由来する金属や、夾雑物等が挙げられる。また、検査対象物３の変質等の異状は、検査対象物３に含まれる水分や糖分の量などを測定することにより検出することができる。異状検査装置１は、近赤外光を検査対象物３に対して照射することにより得られる拡散反射光のスペクトルを測定し、そのスペクトルに基づいて検査対象物に付着した異物や変質等の異状を検出する。このため、異状検査装置１は、光源ユニット１０、検出ユニット２０、及び分析部３０を備える。
【００１５】
光源ユニット１０は、一定の波長帯域を有する近赤外光を、ベルトコンベア２上における所定の照射領域Ｓ１へ向けて照射する。光源ユニット１０が照射する近赤外光は、波長範囲が８００ｎｍ〜２５００ｎｍの光である。本実施形態では、１０００ｎｍ〜２５００ｎｍの波長範囲で測定を行うことが好ましいが、この波長範囲は用途に応じて適宜変更することができる。また、照射領域Ｓ１とは、検査対象物を載置するベルトコンベア２の表面（載置面２ｂ）の一部の領域である。この照射領域Ｓ１は、載置面２ｂの進行方向２ａ（図１のｙ軸方向）と垂直な幅方向（ｘ軸方向）に広がり、載置面２ｂの一方の端から他方の端までを覆うライン状に延びる領域である。そして、照射領域Ｓ１の延在方向に垂直な方向（ｙ軸方向）における照射領域Ｓ１の幅（図２におけるＷ）は１０ｍｍ以下とされる。
【００１６】
光源ユニット１０は、ＳＣ光源１１と、照射部（照射手段）１２と、ＳＣ光源１１と照射部１２とを接続する光ファイバ１３と、を備える。ＳＣ光源１１は、近赤外光としてスーパーコンティニューム（ＳＣ）光を発生させる。ＳＣ光源１１は、種光源及び非線形媒質を備え、種光源から出射される光を非線形媒質に入力し、非線形媒質中における非線形光学効果によりスペクトルを広帯域に広げてＳＣ光を出力する。
【００１７】
ＳＣ光源１１により発生された近赤外光（ＳＣ光）は、光ファイバ１３の一方の端面へ入射される。この近赤外光は、光ファイバ１３のコア領域を導波し、もう一方の端面から照射部１２に対して出射される。
【００１８】
照射部１２は、光ファイバ１３の端面から出射される近赤外光（ＳＣ光）を検査対象物３が載置される照射領域Ｓ１に対して照射する。照射部１２は、光ファイバ１３から出射される近赤外光を入射して、照射領域Ｓ１に対応した１次元のライン状に出射するため、照射部１２としてシリンドリカルレンズが好適に用いられる。このように照射部１２においてライン状に整形された近赤外光Ｌ１が、照射部１２から照射領域Ｓ１に対して照射される。
【００１９】
光源ユニット１０から出力された近赤外光Ｌ１は、照射領域Ｓ１上に載置された検査対象物３により拡散反射される。そして、その一部が、拡散反射光Ｌ２として検出ユニット２０に入射する。
【００２０】
検出ユニット２０は、スリット２１と、分光器２２と、受光部２３と、を備える。この検出ユニット２０は、その視野領域２０ｓがベルトコンベア２の進行方向２ａと垂直な方向（ｘ軸方向）に延びている。検出ユニット２０の視野領域２０ｓは、載置面２ｂの照射領域Ｓ１に含まれるライン状の領域であって、スリット２１を通過した拡散反射光Ｌ２が受光部２３上に像を結ぶ領域である。
【００２１】
スリット２１は、照射領域Ｓ１の延在方向（ｘ軸方向）と平行な方向に開口が設けられる。検出ユニット２０のスリット２１に入射した拡散反射光Ｌ２は、分光器２２へ入射する。
【００２２】
分光器２２は、スリット２１の長手方向、すなわち照射領域Ｓ１の延在方向に垂直な方向（ｙ軸方向）に拡散反射光Ｌ２を分光する。分光器２２により分光された光は、受光部２３によって受光される。
【００２３】
受光部２３は、複数の受光素子が２次元に配列された受光面を備え、各受光素子が光を受光する。これにより、受光部２３がベルトコンベア２上の幅方向（ｘ軸方向）に沿った各位置で反射した拡散反射光Ｌ２の各波長の光をそれぞれ受光することとなる。各受光素子は、受光した光の強度に応じた信号を位置情報と波長情報とからなる二次元情報として出力する。この信号は、受光ユニット２０から分析部３０に送られる。
【００２４】
分析部３０は、入力された信号により拡散反射光Ｌ２のスペクトルを得て、この得られたスペクトルに基づいて検査を行う。検査対象物３に含まれる異物を検出する場合は、次のような原理で検査を行う。異物は、ＳＣ光源１１から出力される近赤外光の波長範囲の近赤外光において吸収帯域を有する。そこで、検査対象物３により拡散反射した拡散反射光Ｌ２のスペクトルにおいて、異物に由来する特定の吸収ピークを検出することにより、異物を検出する。
【００２５】
検査対象物３に含まれる水分や糖分の量を測定する場合は、次のような原理で検査を行う。例えば、糖分は波長１５００ｎｍ付近と波長２１００ｎｍ付近に吸収ピークを有するので、検査対象物３中に糖分が含まれる場合は、これらの波長の前後少なくとも１００ｎｍの範囲の近赤外光を照射し、拡散反射光Ｌ２のスペクトルを分析することで、食品中の糖分に由来するピークを検出することができる。糖分に由来するピークの位置や強度から、糖分の種類やその含有量を求めることができ、検査対象物の異常を検出したり、品質を評価したりすることができる。
【００２６】
また、例えば検査対象物３に含まれる水分については、波長１４５０ｎｍ付近に水の吸収ピークを有するので、検査対象物３へ波長１４５０ｎｍの前後少なくとも１００ｎｍの範囲の近赤外光を照射して拡散反射光を測定し、その結果に含まれる波長１４５０ｎｍ付近のピークの高さから水分量を算出することができる。
【００２７】
このような原理で分析を行うので、載置面２ｂは、ＳＣ光源１１から照射する近赤外光を吸収する材料からなることが好ましい。また、検出ユニット２０が、正反射光の光路に対して２０°以上の角度を有する光路を進む拡散反射光Ｌ２を入射するような角度で、光源ユニット１０の照射部１２から近赤外光Ｌ１を載置面２ｂに照射することが好ましい。これにより、正反射光が検出ユニット２０に入射することを防止して、適切に拡散反射光Ｌ２を入射することができる。
【００２８】
以上説明した異状検査装置１では、ベルトコンベア２が動くことにより、製造ラインに沿った載置面２ｂ上に載置された検査対象物３が製造ラインに沿って輸送される。検査対象物３が進行方向２ａに進むと同時に、検出ユニット２０の視野領域Ｌ１上に載置された検査対象物３の検査が行われる。
【００２９】
このように、本実施形態の異状検査装置１によれば、検査対象物３の測定のための近赤外光Ｌ１を出射する光源としてスーパーコンティニューム光源（ＳＣ光源）を用いることによって、検査対象物３の検査に適切な波長帯域の光が検査対象物３に対して照射される。したがって、検査対象物３に対する検査に不要な光の照射を低減することができるため、測定光による検査対象物３の損傷を抑制した状態で検査対象物３の検査を精度よく行うことができる。
【００３０】
また、本実施形態の異状検査装置１の光源ユニット１０の照射部１３から照射領域Ｓ１に対して照射される近赤外光は、光ファイバ１３の端面から出射される光であるため、集光特性に優れる。また、照射部１３によりライン状の照射領域Ｓ１に対して照射する場合にも当該照射領域Ｓ１における光の強度を均一にすることができる。
【００３１】
また、本実施形態の異状検査装置１では、照射領域Ｓ１の延在方向に垂直な方向における照射領域Ｓ１の幅Ｗが１０ｍｍ以下とされる。これにより、照射領域Ｓ１に対してＳＣ光源１１から出射される近赤外光を集中して照射することができるため、ＳＣ光源１１から出力する近赤外光の光量を低減させることができ、検査対象物３における測定光による損傷をさらに低減させることができる。
【００３２】
以上、本発明の実施形態について説明したが、本発明は上記実施形態に限定されるものではなく、種々の変更を行うことができる。
【符号の説明】
【００３３】
１…異状検査装置、２…ベルトコンベア、３…検査対象物、１０…光源ユニット、１１…ＳＣ光源、１２…照射部、１３…光ファイバ、２０…検出ユニット、２１…スリット、２２…分光器、２３…受光部、３０…分析部、Ｌ１…近赤外光、Ｌ２…拡散反射光、Ｓ１…照射領域。
【図１】
2010276361.tif 000003
【図２】
2010276361.tif 000004